(57)【要約】【課題】照明負荷の明るさを所望の調光レベルに切り替える操作を簡単にした壁取付用スイッチを提供する。【解決手段】タッチセンサ１２は、壁取付用スイッチ１の所定の操作領域を指で触れるタッチ操作を検出する。信号処理部１１は、タッチセンサ１２の検出結果に基づいて、出力回路１３から出力させる調光信号Ｓ１を変化させることによって、照明負荷１００を調光する。消灯状態において、タッチセンサ１２がタッチ操作を検出してから所定時間が経過するまでの間にタッチセンサ１２がタッチ操作を検出しなければ、信号処理部１１は、照明負荷１００の調光レベルを第１調光レベルに制御する。消灯状態において、タッチセンサ１２がタッチ操作を検出してから所定時間が経過するまでの間にタッチセンサ１２がタッチ操作を検出すると、信号処理部１１は、照明負荷１００の調光レベルを、第１調光レベルとは異なる第２調光レベルに制御する。【選択図】図１
2014120207.tif 000002
【特許請求の範囲】
【請求項１】
所定の操作領域を指で触れるタッチ操作を検出するタッチセンサと、
前記タッチセンサの検出結果に基づいて、照明負荷の調光制御を行う調光制御部とを備え、
消灯状態において、前記タッチセンサがタッチ操作を検出してから所定時間が経過するまでの間に前記タッチセンサがタッチ操作を検出しなければ、前記点灯制御部は所定の第１調光レベルで前記照明負荷を点灯させ、
消灯状態において、前記タッチセンサがタッチ操作を検出してから前記所定時間が経過するまでの間に前記タッチセンサがタッチ操作を検出すると、前記点灯制御部は第１調光レベルとは異なる第２調光レベルで前記照明負荷を点灯させることを特徴とする壁取付用スイッチ。
【発明の詳細な説明】
【技術分野】
【０００１】
本発明は、壁取付用スイッチに関するものである。
【背景技術】
【０００２】
従来、タッチスイッチを備え、タッチスイッチに指を触れる毎に、蛍光ランプの明るさを全点灯、調光点灯、消灯の順番で周期的に切り替えるようにした蛍光ランプ点灯装置があった（例えば特許文献１参照）。
【先行技術文献】
【特許文献】
【０００３】
【特許文献１】特開平１−２８６２９８号公報
【発明の概要】
【発明が解決しようとする課題】
【０００４】
上述した従来の蛍光ランプ点灯装置は、タッチスイッチを指で触れることによって、蛍光ランプの明るさを、全点灯、調光点灯、消灯の順番で周期的に切り替えていた。この場合、消灯状態から全点灯状態に切り替えるためには、ユーザは、タッチスイッチを指で１回触れればよい。一方、消灯状態から全点灯状態に切り替えるためには、ユーザは、タッチスイッチを指で１回触れて消灯状態から全点灯状態に切り替えた後、タッチスイッチを指で１回触れて全点灯状態から調光点灯状態に切り替えていた。このように、蛍光ランプを消灯状態から調光点灯状態に切り替えるために、明るさを切り替える操作を２回行わねばならず、操作が面倒であった。また、消灯状態から調光点灯状態に切り替える場合、点灯制御部は、照明負荷を全点灯状態で一旦点灯させた後、全点灯状態から調光点灯状態に切り替えているので、調光点灯状態で点灯させるまでに時間がかかるという問題もあった。
【０００５】
本発明は上記課題に鑑みて為されたものであり、その目的とするところは、照明負荷の明るさを所望の調光レベルに切り替える操作を簡単にした壁取付用スイッチを提供することにある。
【課題を解決するための手段】
【０００６】
本発明の壁取付用スイッチは、所定の操作領域を指で触れるタッチ操作を検出するタッチセンサと、前記タッチセンサの検出結果に基づいて、照明負荷の調光制御を行う調光制御部とを備える。消灯状態において、前記タッチセンサがタッチ操作を検出してから所定時間が経過するまでの間に前記タッチセンサがタッチ操作を検出しなければ、前記点灯制御部は所定の第１調光レベルで前記照明負荷を点灯させる。消灯状態において、前記タッチセンサがタッチ操作を検出してから前記所定時間が経過するまでの間に前記タッチセンサがタッチ操作を検出すると、前記点灯制御部は第１調光レベルとは異なる第２調光レベルで前記照明負荷を点灯させることを特徴とする。尚、上記の所定時間とは、複数回のタッチ操作が連続的に行われたとみなせる程度の時間であり、例えば０．５秒〜１秒程度の時間である。
【発明の効果】
【０００７】
本発明によれば、消灯状態において所定時間内に１回だけタッチ操作が行われると、点灯制御部は、タッチセンサの検出結果に基づいて照明負荷を第１調光レベルで点灯させる。また消灯状態において所定時間内に複数回のタッチ操作が行われると、点灯制御部は、タッチセンサの検出結果に基づいて照明負荷を第２調光レベルで点灯させる。したがって、所定時間内に１回だけタッチ操作を行うか、複数回のタッチ操作を行うかによって、照明負荷の明るさが第１調光レベル、或いは、第２調光レベルに直接的に切り替えられるから、調光レベルを切り替える操作を簡単に行うことができる。また、消灯状態から第１調光レベル、或いは、消灯状態から第２調光レベルへと調光レベルが直接的に切り替えられるから、照明負荷が第１調光レベル或いは第２調光レベルで点灯するまでの時間を短縮することもできる。
【図面の簡単な説明】
【０００８】
【図１】本実施形態の壁取付用スイッチのブロック図である。
【図２】同上の施工状態を示す正面図である。
【図３】同上の動作を説明する状態遷移図である。
【発明を実施するための形態】
【０００９】
本発明に係る壁取付用スイッチの実施形態を図１〜図３に基づいて説明する。
【００１０】
本実施形態の壁取付用スイッチ１は、調光制御が可能な照明負荷１００の動作を制御するために用いられる。尚、照明負荷１００は、壁取付用スイッチ１から入力される調光信号Ｓ１の電圧レベルに応じて、光源である発光ダイオード（図示せず）の調光レベルを変化させるようなＬＥＤ照明器具である。
【００１１】
図２は、壁取付用スイッチ１が壁２００に取り付けられた状態を正面から見た図であり、以下の説明では特に断りがないかぎり、図２に示す向きにおいて上下左右の方向を規定して説明を行う。
【００１２】
壁取付用スイッチ１の器体２０は合成樹脂により箱型に形成されており、器体２０を前方から見た形状は縦長の（左右方向よりも上下方向の方が長い）矩形状に形成されている。この器体２０は、埋込型配線器具を壁２００に取り付けるために使用される取付枠（図示せず）を用いて、壁２００に取り付けられる。取付枠の前側には化粧枠２１が取り付けられ、化粧枠２１の中央の開口２１ａから、器体２０の前面が露出する。尚、取付枠は、例えば特開２００９−７４９３６号公報に開示されているような従来周知のものであるから、図示及び説明は省略する。
【００１３】
図１は壁取付用スイッチ１のブロック図である。この壁取付用スイッチ１は、信号処理部１１と、複数個のタッチセンサ１２と、出力回路１３と、複数個の発光ダイオード（ＬＥＤ）１４と、ブザー１５と、ドライブ回路１６，１７と、電源回路１８と、メモリ１９とを備える。尚、図１の回路を構成する回路部品が実装された回路基板（図示せず）は、器体２０の内部に収納されている。
【００１４】
信号処理部１１は例えばマイクロコンピュータからなり、壁取付用スイッチ１の全体的な制御を行う。信号処理部１１は、タッチセンサ１２の検出結果に基づいて、照明負荷１００の点灯状態を制御する。尚、タッチ操作に応じた制御内容については後述する。
【００１５】
タッチセンサ１２は、静電容量型のセンサで構成されており、タッチセンサ１２の出力は信号処理部１１に入力されている。
【００１６】
タッチセンサ１２は、器体２０の前壁の裏側に配置されている。タッチセンサ１２の個数は１個でも複数個でもよく、器体２０の前壁の略全体に設けられた操作領域２０ａをカバーするために必要な個数のタッチセンサ１２が、器体２０の前壁の裏側に配置されている。器体２０は合成樹脂で形成されているので、タッチ操作を行うために器体２０の操作領域２０ａに指で触れると、指で触れた部位の裏側付近にあるタッチセンサ１２の静電容量値が変化し、それに応じて出力が変化する。尚、タッチセンサ１２は静電容量式のものに限らず、抵抗膜方式など周知の検出方式のものが利用できる。
【００１７】
ここで、所定時間内に操作領域２０ａを指で１回たたく操作をタップ操作といい、所定時間内に操作領域２０ａを指で複数回たたく操作を連続タップ操作という。また、連続タップ操作のうち、所定時間内に操作領域２０ａを指で２回たたく操作をダブルタップ操作という。尚、上記の所定時間とは、複数回のタッチ操作が連続的に行われたとみなせる程度の時間であり、例えば０．５秒〜１秒程度の時間に設定されている。
【００１８】
出力回路１３は、信号処理部１１からの制御命令に応じて出力信号Ｓ１の電圧レベルを変化させる。出力回路１３の出力信号Ｓ１は照明負荷１００に入力され、照明負荷１００は、出力信号Ｓ１の電圧レベルに応じて光源である発光ダイオード（図示せず）の調光レベルを制御する。
【００１９】
複数個（例えば７個）の発光ダイオード１４の各々は、例えばＲＧＢフルカラー発光の発光ダイオードで構成されている。器体２０の前壁の裏側には、操作領域２０ａの中心位置に対応する位置に発光ダイオード１４が１個配置され、この発光ダイオード１４を中心とする円周上に残りの６個の発光ダイオードが等間隔に配置されている。尚、器体２０の前壁は、発光ダイオード１４の発光が透過可能な程度の厚みに形成されている。
【００２０】
ドライブ回路１６は、信号処理部１１からの入力信号に応じて、複数個の発光ダイオード１４の点灯／消灯、並びに、点灯させる場合はその発光色を個別に制御する。
【００２１】
ドライブ回路１７は、信号処理部１１からの入力信号に応じてブザー１５を鳴動させる。
【００２２】
電源回路１８は、ＡＣ／ＤＣ変換部（ＡＣ／ＤＣ）１８ａと、ＬＤＯ（Low DropOut）レギュレータ（ＬＤＯ）１８ｂとで構成される。ＡＣ／ＤＣ変換部１８ａは、商用交流電源から供給される交流電力を直流に変換する。ＬＤＯレギュレータ１８ｂは、ＡＣ／ＤＣ変換部１８ａの出力電圧を所定電圧に降圧して信号処理部１１に供給する。尚、電源回路１８の構成は本実施形態に限定されるものではなく、適宜変更が可能である。
【００２３】
メモリ１９は、例えばＥＥＰＲＯＭなどの電気的に書き換え可能な不揮発性メモリからなり、タップ操作時に照明負荷１００を点灯させる第１調光レベルと、連続タップ操作時に照明負荷１００を点灯させる第２調光レベルの設定値が予め登録されている。本実施形態では例えば第１調光レベルとして７０％の調光レベルが設定され、第２調光レベルとして１００％の調光レベルが設定されている。尚、第１調光レベル及び第２調光レベルは工場出荷時に予め設定しておいてもよいし、設定ボリュームや切替スイッチなどの適宜の手段でユーザが設定値を変更できるようにしてもよい。
【００２４】
次に、壁取付用スイッチ１の動作について説明する。信号処理部１１は、タッチセンサ１２の検出結果に応じた負荷制御を行っており、その動作を表す状態遷移図を図３に示す。
【００２５】
照明負荷１００が消灯している状態（状態ＳＴ１）では、信号処理部１１は、ドライブ回路１６を制御して、発光ダイオード１４を緑色点灯させており、壁取付用スイッチ１の位置表示並びに操作領域２０ａの位置表示を行う。
【００２６】
照明負荷１００の消灯中に、操作者が操作領域２０ａを所定時間内に１回だけ指でたたく操作（タップ操作）を行うと（イベントｔ１）、タッチセンサ１２によって所定時間内に１回だけタッチ操作が検出される。この場合、タッチセンサ１２がタッチ操作を検出してから所定時間が経過するまでの間にタッチ操作が検出されないため、信号処理部１１は、メモリ１９から第１調光レベルの設定値を読み出す。信号処理部１１は、読み出した調光レベルに応じた調光信号Ｓ１を出力回路１３から照明負荷１００に出力させ、照明負荷１００を第１調光レベルで点灯させる（状態ＳＴ２）。本実施形態では第１調光レベルが７０％の調光レベルに設定されているので、状態ＳＴ２では照明負荷１００が７０％の調光レベルで調光点灯する。また信号処理部１１は、ドライブ回路１７を制御してブザー１５から報知音（例えば「ピ」という音）を鳴動させ、タッチ操作を受け付けたことを操作者に報知する。また信号処理部１１は、ドライブ回路１６を制御して発光ダイオード１４を赤色点灯させることで、点灯中であることを視覚的に表示する。
【００２７】
照明負荷１００の消灯中に、操作者が操作領域２０ａを所定時間内に複数回指でたたく操作（連続タップ操作）を行うと（イベントｔ２）、タッチセンサ１２によって所定時間内に複数回のタッチ操作が検出される。この場合、タッチセンサ１２がタッチ操作を検出してから所定時間が経過するまでの間にタッチ操作が再度検出されるから、信号処理部１１は、メモリ１９から第２調光レベルの設定値を読み出す。信号処理部１１は、読み出した調光レベルに応じた調光信号Ｓ１を出力回路１３から照明負荷１００に出力させ、照明負荷１００を第２調光レベルで点灯させる（状態ＳＴ３）。本実施形態では第２調光レベルが１００％の調光レベルに設定されているので、状態ＳＴ２では照明負荷１００が全点灯状態で点灯する。また信号処理部１１は、ドライブ回路１７を制御してブザー１５から報知音（例えば「ピ，ピ」という音）を鳴動させ、連続タッチ操作を受け付けたことを操作者に報知する。また信号処理部１１は、ドライブ回路１６を制御して発光ダイオード１４を赤色点灯させることで、点灯中であることを視覚的に表示する。
【００２８】
照明負荷１００が第１調光レベル又は第２調光レベルで点灯している状態（状態ＳＴ２，ＳＴ３）で、操作領域２０ａを所定時間内に１回だけ指でたたく操作が行われると（イベントｔ３，ｔ４）、タッチセンサ１２は所定時間内に１回だけタッチ操作を検出する。点灯状態において、タッチセンサ１２がタッチ操作を検出してから所定時間が経過するまでの間にタッチ操作が検出されなければ、信号処理部１１は、出力回路１３から調光信号Ｓ１の出力を停止させ、照明負荷１００を消灯させる（状態Ｓ１）。また、信号処理部１１は、ドライブ回路１７を制御してブザー１５から報知音（例えば「ピ」という音）を鳴動させ、タッチ操作を受け付けたことを操作者に報知する。また、信号処理部１１は、ドライブ回路１６を制御して、発光ダイオード１４を緑色点灯させることで、位置表示を行う。
【００２９】
照明負荷１００が第１調光レベルで点灯している状態（状態ＳＴ２）で、操作者が操作領域２０ａを所定時間内に複数回指でたたく操作を行うと（イベントｔ５）、タッチセンサ１２によって所定時間内に複数回のタッチ操作が検出される。この場合、タッチセンサ１２がタッチ操作を検出してから所定時間が経過するまでの間にタッチ操作が再度検出されるから、信号処理部１１は、調光レベルを切り替えるために、メモリ１９から第２調光レベルの設定値を読み出す。信号処理部１１は、読み出した調光レベルに応じた調光信号Ｓ１を出力回路１３から照明負荷１００に出力させ、照明負荷１００を第２調光レベルで点灯させる（状態ＳＴ３）。本実施形態では第２調光レベルが１００％の調光レベルに設定されているので、状態ＳＴ３では照明負荷１００が全点灯状態で点灯する。また信号処理部１１は、ドライブ回路１７を制御してブザー１５から報知音（例えば「ピ，ピ」という音）を鳴動させ、連続タッチ操作を受け付けたことを操作者に報知する。
【００３０】
照明負荷１００が第２調光レベルで点灯している状態（状態ＳＴ３）で、操作者が操作領域２０ａを所定時間内に複数回指でたたく操作を行うと（イベントｔ６）、タッチセンサ１２によって所定時間内に複数回のタッチ操作が検出される。この場合、タッチセンサ１２がタッチ操作を検出してから所定時間が経過するまでの間にタッチ操作が再度検出されるから、信号処理部１１は、調光レベルを切り替えるために、メモリ１９から第１調光レベルの設定値を読み出す。信号処理部１１は、読み出した調光レベルに応じた調光信号Ｓ１を出力回路１３から照明負荷１００に出力させ、照明負荷１００を第１調光レベルで点灯させる（状態ＳＴ２）。本実施形態では第１調光レベルが７０％の調光レベルに設定されているので、状態ＳＴ２では照明負荷１００が７０％の調光レベルで調光点灯する。また信号処理部１１は、ドライブ回路１７を制御してブザー１５から報知音（例えば「ピ，ピ」という音）を鳴動させ、連続タッチ操作を受け付けたことを操作者に報知する。
【００３１】
上記の動作をまとめると、壁取付用スイッチ１は、消灯状態において、所定時間内に１回だけタッチ操作が行われると照明負荷１００を第１調光レベルで点灯させ、所定時間内に複数回のタッチ操作が行われると照明負荷１００を第２調光レベルで点灯させる。また、壁取付用スイッチ１は、照明負荷１００が第１調光レベル又は第２調光レベルで点灯している状態で、所定時間内に１回だけタッチ操作が行われると、照明負荷１００を消灯させる。また、壁取付用スイッチ１は、照明負荷１００が点灯している状態で所定時間内に複数回のタッチ操作が行われると、照明負荷１００の調光レベルを第１調光レベルから第２調光レベルへ、或いは、第２調光レベルから第１調光レベルへと切り替える。
【００３２】
以上説明したように、本実施形態の壁取付用スイッチ１はタッチセンサ１２と調光制御部とを備える。タッチセンサ１２は、所定の操作領域２０ａを指で触れるタッチ操作を検出する。調光制御部は、信号処理部１１及び出力回路１３からなり、タッチセンサ１２の検出結果に基づいて照明負荷１００の調光制御を行う。消灯状態において、タッチセンサ１２がタッチ操作を検出してから所定時間が経過するまでの間にタッチセンサ１２がタッチ操作を検出しなければ、点灯制御部は所定の第１調光レベルで照明負荷１００を点灯させる。消灯状態において、タッチセンサ１２がタッチ操作を検出してから所定時間が経過するまでの間にタッチセンサ１２がタッチ操作を検出すると、点灯制御部は第１調光レベルとは異なる第２調光レベルで照明負荷１００を点灯させる。
【００３３】
これにより、消灯状態において所定時間内に１回だけタッチ操作が行われると、信号処理部１１及び出力回路１３からなる点灯制御部は、タッチセンサ１２の検出結果に基づいて照明負荷１００を第１調光レベルで点灯させる。また消灯状態において所定時間内に複数回のタッチ操作が行われると、点灯制御部は、タッチセンサ１２の検出結果に基づいて照明負荷１００を第２調光レベルで点灯させる。したがって、所定時間内に１回だけタッチ操作を行うか、複数回のタッチ操作を行うかによって、照明負荷１００の明るさが第１調光レベル、或いは、第２調光レベルに直接的に切り替えられるから、調光レベルを切り替える操作を簡単に行うことができる。また、消灯状態から第１調光レベル、或いは、消灯状態から第２調光レベルへと調光レベルを直接的に切り替えることができるから、照明負荷が第１調光レベル或いは第２調光レベルで点灯するまでの時間を短縮することもできる。
【符号の説明】
【００３４】
１  壁取付用スイッチ
１１  信号処理部（点灯制御部）
１２  タッチセンサ
１３  出力回路（点灯制御部）
１００  照明負荷
【図１】
2014120207.tif 000003
【図２】
2014120207.tif 000004
【図３】
2014120207.tif 000005